(57)【要約】【課題】屋根を簡単に葺ける技術を提供することである。【解決手段】パネルの一端側かつ下側に掛止部が設けられ、パネルの他端側に上側に起立した頂部から先端部まで略一定高さの浮上部が設けられてなることを特徴とする屋根葺用パネル。【選択図】図２
2016023522.tif 000002
【特許請求の範囲】
【請求項１】
屋根葺用パネルであって、
前記パネルの一端側かつ下側に、掛止部が設けられ、
前記パネルの他端側に、上側に起立した頂部から先端部まで略一定高さの浮上部が設けられてなる
ことを特徴とする屋根葺用パネル。
【請求項２】
前記掛止部は断面略」形状であり、
前記浮上部は断面略¬形状である
ことを特徴とする請求項１の屋根葺用パネル。
【請求項３】
前記掛止部は、前記パネルの主面一部と合体した場合、断面略コ字形状であり、
前記浮上部は、前記パネルの主面一部と合体した場合、断面略Ｚ字形状である
ことを特徴とする請求項１又は請求項２の屋根葺用パネル。
【請求項４】
前記掛止部は、前記パネルの一端側が折り曲げられて構成されたものであり、
前記浮上部は、前記パネルの他端側が折り曲げられて構成されたものである
ことを特徴とする請求項１〜請求項３いずれかの屋根葺用パネル。
【請求項５】
複数枚の屋根パネルの配設によって構成されてなる既存の屋根の上に葺かれる屋根葺用パネルである
ことを特徴とする請求項１〜請求項４いずれかの屋根葺用パネル。
【請求項６】
前記屋根葺用パネルが複数枚葺かれて屋根が構成された場合、上側に位置の前記屋根葺用パネルの掛止部が下側に位置の前記屋根葺用パネルの浮上部の基部に掛止可能に構成されてなる
ことを特徴とする請求項１〜請求項５いずれかの屋根葺用パネル。
【請求項７】
複数枚の屋根パネルの配設によって構成されてなる既存の屋根の上に葺かれる屋根葺用パネルであり、
前記浮上部は、前記既存屋根の屋根パネルの表面に接合可能に構成されてなる
ことを特徴とする請求項１〜請求項６いずれかの屋根葺用パネル。
【請求項８】
前記掛止部と前記浮上部との間の前記パネルの主面には、段部が、横方向に、一つ以上、設けられてなる
ことを特徴とする請求項１〜請求項７いずれかの屋根葺用パネル。
【請求項９】
前記浮上部の表面の少なくとも一部には粒状物が設けられてなる
ことを特徴とする請求項１〜請求項８いずれかの屋根葺用パネル。
【請求項１０】
前記パネルの主面の表面には粒状物が設けられてなる
ことを特徴とする請求項１〜請求項９いずれかの屋根葺用パネル。
【請求項１１】
前記掛止部の掛止面部の少なくとも一部には粒状物が設けられてなる
ことを特徴とする請求項１〜請求項１０いずれかの屋根葺用パネル。
【請求項１２】
請求項１〜請求項１１いずれかの屋根葺用パネルが、既存の屋根の屋根パネルが残されたまま、前記既存屋根の屋根パネルの上に、配設される
ことを特徴とする屋根リフォーム方法。
【請求項１３】
請求項１〜請求項１１いずれかの屋根葺用パネルが、既存の屋根の屋根パネルが残されたまま、前記既存屋根の屋根パネルの上に、配設されてなる
ことを特徴とする屋根構造。
【請求項１４】
一端側かつ下側に掛止部が設けられ、他端側に浮上部が設けられてなる屋根葺用パネルが、既存の屋根の屋根パネルの上に、配設されてなり、
前記屋根葺用パネルの浮上部の裏面が既存屋根の屋根パネルの表面に接していて、
前記屋根葺用パネルの中の上側に位置する屋根葺用パネルの掛止部が、前記屋根葺用パネルの中の下側に位置する屋根葺用パネルの浮上部の基部に、掛止してなる
ことを特徴とする屋根構造。
【発明の詳細な説明】
【技術分野】
【０００１】
本発明は屋根に関する。
【背景技術】
【０００２】
図６（平面図）及び図７（拡大左側面図）に示される屋根板（パネル）が提案（意匠登録第１３４４９５６号）されている。
【０００３】
「屋根垂木上に少なくとも野地板及びフェルトがこの順に積層されてなる基本構造物を有する屋根を葺き替える構造であって、前記基本構造物をそのままにして、この基本構造物上に、垂木、野地板、遮熱防水シート及び屋根材がこの順に積層され、複数の前記垂木と前記野地板と前記基本構造物とが空間を形成しており、前記垂木のうち、雨樋に臨む軒先部分の上面が前記雨樋の方向に下方へより傾斜した傾斜面に形成され、これに応じて、前記野地板、前記遮熱防水シート及び前記屋根材も前記雨樋の方向に下方へより傾斜している屋根葺き替え構造」が提案（実用新案登録第３１７６９５０号）されている。
【先行技術文献】
【特許文献】
【０００４】
【特許文献１】意匠登録第１３４４９５６号
【特許文献２】実用新案登録第３１７６９５０号
【発明の概要】
【発明が解決しようとする課題】
【０００５】
特許文献１のパネルは、基本的に、既存の屋根の上に葺かれる屋根葺用パネルではなかった。例えば、特許文献１のパネルを、既存の屋根を残したまま、既存屋根の上に新しく葺いた場合、パネル左端部（図７，８において、左端部）のみが既存の屋根に着地（接地）しているに過ぎない（図８参照）。勿論、パネル右端部（図７，８において、右端部）は、下流位置のパネルに着地している。しかし、左端部と右端部との間の位置において、パネルは、恰も、宙に浮いている如くである（図８参照）。すなわち、既存の屋根と、既存の屋根の上に新しく葺かれた特許文献１のパネルによる屋根との間の空間（高さ）が、大き過ぎる（図８参照）。このことは、屋根が上手く葺けていないことを意味する。
【０００６】
特許文献２にあっては、「基本構造物をそのままにして、この基本構造物上に、垂木、野地板、遮熱防水シート及び屋根材がこの順に積層」から判る通り、基本的には、既存の屋根を構成する屋根パネルを残したまま、既存屋根の屋根パネル上に新しく屋根パネルを配設する（葺く）ものでは無い。例えば、既存の屋根パネルを撤去して新しく屋根パネルを配設する（葺く）技術である。既存の屋根パネルの除去（撤去）を前提にする特許文献２の技術は、それだけ、厄介である。
【０００７】
本発明が解決しようとする課題は、屋根を簡単に葺ける技術を提供することである。
【課題を解決するための手段】
【０００８】
本発明は、
屋根葺用パネルであって、
前記パネルの一端側かつ下側に、掛止部が設けられ、
前記パネルの他端側に、上側に起立した頂部から先端部まで略一定高さの浮上部が設けられてなる
ことを特徴とする屋根葺用パネルを提案する。
【０００９】
本発明は、前記屋根葺用パネルであって、前記掛止部は、例えば断面略」形状であり、前記浮上部は、例えば断面略¬形状であることを特徴とする屋根葺用パネルを提案する。
【００１０】
本発明は、前記屋根葺用パネルであって、前記掛止部は、前記パネルの主面一部と合体した場合、例えば断面略コ字形状であり、前記浮上部は、前記パネルの主面一部と合体した場合、例えば断面略Ｚ字形状であることを特徴とする屋根葺用パネルを提案する。
【００１１】
本発明は、前記屋根葺用パネルであって、前記掛止部は、前記パネルの一端側が、例えば折り曲げられて構成されたものであり、前記浮上部は、前記パネルの他端側が、例えば折り曲げられて構成されたものであることを特徴とする屋根葺用パネルを提案する。
【００１２】
本発明は、前記屋根葺用パネルであって、複数枚の屋根パネルの配設によって構成されてなる既存の屋根の上に葺かれる屋根葺用パネルであることを特徴とする屋根葺用パネルを提案する。
【００１３】
本発明は、前記屋根葺用パネルであって、前記屋根葺用パネルが複数枚葺かれて屋根が構成された場合、上側に位置の前記屋根葺用パネルの掛止部が下側に位置の前記屋根葺用パネルの浮上部の基部に掛止可能に構成されてなることを特徴とする屋根葺用パネルを提案する。
【００１４】
本発明は、前記屋根葺用パネルであって、複数枚の屋根パネルの配設によって構成されてなる既存の屋根の上に葺かれる屋根葺用パネルであり、前記浮上部は、前記既存屋根の屋根パネルの表面に接合可能に構成されてなることを特徴とする屋根葺用パネルを提案する。
【００１５】
本発明は、前記屋根葺用パネルであって、前記掛止部と前記浮上部との間の前記パネルの主面には、段部が、横方向に、一つ以上、設けられてなることを特徴とする屋根葺用パネルを提案する。
【００１６】
本発明は、前記屋根葺用パネルであって、前記浮上部の表面の少なくとも一部には粒状物が設けられてなることを特徴とする屋根葺用パネルを提案する。
【００１７】
本発明は、前記屋根葺用パネルであって、前記パネルの主面の表面には粒状物が設けられてなることを特徴とする屋根葺用パネルを提案する。
【００１８】
本発明は、前記屋根葺用パネルであって、前記掛止部の掛止面部の少なくとも一部には粒状物が設けられてなることを特徴とする屋根葺用パネルを提案する。
【００１９】
本発明は、
前記屋根葺用パネルが、既存の屋根の屋根パネルが残されたまま、前記既存屋根の屋根パネルの上に、配設される
ことを特徴とする屋根リフォーム方法を提案する。
【００２０】
本発明は、
前記屋根葺用パネルが、既存の屋根の屋根パネルが残されたまま、前記既存屋根の屋根パネルの上に、配設されてなる
ことを特徴とする屋根構造を提案する。
【００２１】
本発明は、
一端側かつ下側に掛止部が設けられ、他端側に浮上部が設けられてなる屋根葺用パネルが、既存の屋根の屋根パネルの上に、配設されてなり、
前記屋根葺用パネルの浮上部の裏面が既存屋根の屋根パネルの表面に接していて、
前記屋根葺用パネルの中の上側に位置する屋根葺用パネルの掛止部が、前記屋根葺用パネルの中の下側に位置する屋根葺用パネルの浮上部の基部に、掛止してなる
ことを特徴とする屋根構造を提案する。
【発明の効果】
【００２２】
屋根が、簡単、かつ、低廉なコストで葺ける。
【図面の簡単な説明】
【００２３】
【図１】本発明の一実施形態になる屋根葺用パネルで葺き替えられた状態の概略断面図
【図２】図１の一点鎖線で囲まれる領域の拡大概略断面図
【図３】本発明の一実施形態になる屋根葺用パネルの平面図
【図４】本発明の一実施形態になる屋根葺用パネルの拡大側面図
【図５】本発明の屋根葺用パネルにおける掛止部および浮上部の変形例の概略断面図
【図６】従来の屋根板（パネル）の平面図
【図７】従来の屋根板（パネル）の拡大側面図
【図８】図６，７の屋根板（パネル）で葺き替えられた状態の概略断面図
【発明を実施するための形態】
【００２４】
以下、本発明の実施形態が説明される。
第１の発明は屋根葺用パネルである。前記屋根葺用パネルは掛止部を有する。前記掛止部は、前記パネルの一端側かつ下側に設けられている。前記屋根葺用パネルは浮上部を有する。前記浮上部は、起立部の頂部から先端部までが略一定の高さを有する形状である。前記起立部は前記パネルの上側に向かって起立したものである。前記起立部は前記パネルの他端側に設けられている。
【００２５】
前記掛止部は、例えば断面略」形状である。前記掛止部は、前記パネルの主面一部と合体した場合、例えば断面略コ字形状である。ここで、断面略」形状（断面略コ字形状）における屈曲部は、直線的変化であっても、曲線的変化であっても良い。屈曲角度は直角に限られない。屈曲角度は鋭角であっても良い。前記断面略」形状が、例えば断面／形状であっても良い。前記断面略コ字形状は、例えば断面略＞形状であっても良い。前記断面略コ字形状は、例えば断面略⊃形状であっても良い。前記掛止部は前記浮上部に掛止できる構造で有れば良い（図５（ａ）（ｂ）（ｃ）参照）。前記掛止部は、例えば前記パネルの一端側を折り曲げることによって、構成できる。
【００２６】
前記浮上部は、例えば断面略¬形状である。前記浮上部は、前記パネルの主面一部と合体した場合、例えば断面略Ｚ字形状である。前記浮上部における屈曲部は、直線的変化であっても、曲線的変化であっても良い。屈曲角度は直角であっても良い。屈曲角度は鋭角であっても良い。前記断面略¬形状は、例えば断面略＞形状であっても良い。前記断面略Ｚ字形状は、例えば断面乙字形状であっても良い。前記掛止部が前記浮上部に掛止できる構造で有れば良い（図５（ａ）（ｂ）（ｃ）参照）。前記屋根葺用パネルが複数枚葺かれて屋根が構成された場合、上側に位置の前記屋根葺用パネルの掛止部が、例えば下側に位置の前記屋根葺用パネルの浮上部の基部に掛止可能に構成されている。前記浮上部は、例えば前記パネルの他端側を折り曲げることによって、構成できる。
【００２７】
前記屋根葺用パネルは、例えば複数枚の屋根パネルの配設によって構成されてなる既存の屋根の上に葺かれる屋根葺用パネルである。前記浮上部は、前記既存屋根の屋根パネルの表面に接合可能に構成されている。
【００２８】
前記掛止部と前記浮上部との間の前記パネルの主面には、段部が、横方向（屋根の稜線方向：棟方向）に、一つ以上、設けられている。段部は、一つであっても良く、二つ以上であっても良い。
【００２９】
前記浮上部の表面の少なくとも一部には粒状物が設けられている。前記浮上部の表面に粒状物が設けられる代わりに、前記掛止部の掛止面部の少なくとも一部に粒状物が設けられていても良い。勿論、前記浮上部の表面および前記掛止部の掛止面部の双方に粒状物が設けられていても良い。但し、コストの面からは、前記粒状物は、前記浮上部の表面に設けられていることが好ましい。
【００３０】
前記パネルの主面の表面には、好ましくは、粒状物が設けられている。
【００３１】
第２の発明は屋根リフォーム方法である。前記方法は、前記屋根葺用パネルが、既存の屋根の屋根パネルが残されたまま、前記既存屋根の屋根パネルの上に、配設される方法である。
【００３２】
第３の発明は屋根構造である。前記屋根構造は、前記屋根葺用パネルが、既存の屋根の屋根パネルが残されたまま、前記既存屋根の屋根パネルの上に、配設されたものである。或いは、前記屋根構造は、一端側かつ下側に掛止部が設けられ、他端側に浮上部が設けられてなる屋根葺用パネルが、既存の屋根の屋根パネルの上に、配設されたものである。前記屋根葺用パネルの浮上部の裏面が既存屋根の屋根パネルの表面に接している。ここで、接しているとは、狭い幅において（部分的に）、接しているのみでも良い。浮上部の裏面の全面が既存屋根の屋根パネルに接していなければならないと言うものでも無い。ある程度の幅に亘って接していれば良い。前記浮上部の裏面が既存屋根の屋根パネル表面に接した場合に、前記屋根葺用パネルの主面における裏面は既存屋根の屋根パネル表面に対応（例えば、対向）している。この時、前記屋根葺用パネルの主面における裏面と既存屋根の屋根パネル表面との間に多少の隙間が有っても良い。と言うよりも、一部においては、接合（接触：接地）しているものの、残部においては、例えば半分以上の領域においては、前記屋根葺用パネルの主面における裏面と既存屋根の屋根パネル表面との間に多少の隙間が有る（間に空気層が有る）方が好ましい。隙間を有する（間に空気層が有る）方が、断熱効果に富むからである。作業性にも富むであろう。しかし、両者の間に接触部が皆無な場合、前記屋根葺用パネルの強度面から問題が残るから、前記接触部が何れかの個所に在ることが好ましいであろう。前記屋根葺用パネルの中の上側に位置する屋根葺用パネルの掛止部は、前記屋根葺用パネルの中の下側に位置する屋根葺用パネルの浮上部の基部に、掛止している。
【００３３】
以下、具体的な実施形態が挙げられる。但し、本発明は以下の実施形態にのみ限定されない。本発明の特長が大きく損なわれない限り、各種の変形例や応用例も本発明に含まれる。
【００３４】
図１〜図４は本発明の一実施形態の説明図である。図１は、本発明の一実施形態の屋根葺用パネルが、既存の屋根の屋根パネルの上に、葺かれた（配設された）状態での概略断面図である。図２は、図１の一点鎖線で囲まれる領域の拡大概略断面図である。図３は、本発明の一実施形態になる屋根葺用パネルの平面図である。図４は、本発明の一実施形態になる屋根葺用パネルの拡大側面図である。
【００３５】
各図中、１（１１，１２，１３，１４，…，１ｎ）は屋根葺用パネルである。２は、屋根葺用パネル１（１１，１２，１３，１４，…，１ｎ）の主面部である。３は段部である。段部３は、主面部２の略中間部において、設けられている。段部３の方向は、屋根葺用パネル１が葺かれた場合、屋根の稜線方向（棟方向）に沿った（図３中、左右方向に沿った（図１，２中、紙面に垂直な方向に沿った））方向である。段部３は屋根葺用パネル１の機械的強度改善の為に設けられた。
【００３６】
４は、屋根葺用パネル１（１１，１２，１３，１４，…，１ｎ）の主面部２を含む部分の表面に設けられた粒状物である。粒状物４は、粒状物４及びバインダを含有する溶液がパネル１の表面に吹き付けられることによって、設けられた。粒状物４は、例えば無機系の粒状物である。パネル１表面に無機系の粒状物４が設けられていることによって、金属製のパネル１の耐久性が向上する。或いは、パネル１表面に雨が当たった場合に、発生する音が小さくなったりする。
【００３７】
５は掛止部である。掛止部５は、基本的に、掛止機能が奏されれば良い。従って、掛止部５は、図３において、左右の端部にのみ、形成されているのみでも良い。しかし、本実施形態にあっては、掛止部５は、パネル１の一端側（図４中、右端側）が折り曲げられることによって、構成されたものである。従って、本実施形態においては、掛止部５は、パネル１の一端側における縁の殆ど全ての領域（長さ）に亘って、形成されている。掛止部５は、例えば断面略」形状（主面部２と共に眺めた場合、断面略コ字形状）である。粒状物４は、掛止部５の内面側には、設けられていない（図１，２，４参照）。掛止部５と段部３との間の寸法は、既存の屋根パネル２１（２１ｋ）における段差が無い部分の長さにほぼ相当する（図１，２参照）。
【００３８】
６は浮上部である。浮上部６は、パネル１の主面に対して上側に起立した起立部７の頂部８から先端部（図４中、左端部）９までの高さＨが略一定の高さを持つように構成されている。前記高さＨは既存の屋根パネル２１（２１ｋ）一枚分の厚さに略等しい（図１，２参照）。一枚分の厚さとは全体での厚さの意味である。パネルが２枚合さって出来ている場合は、２枚合さった分の厚さである。起立部７が階段状のようになっている場合、頂部８は最上段部を指す。パネル１は、従来のパネル（図６，７参照）とは異なり、先端部９において、その高さが低くなっていない。すなわち、従来のパネル（図６，７参照）は先端部における高さが低くなっており（主面部における高さと先端部における高さが略同一）、これが為に、図１と図８との対比から判る通り、従来のパネル（図６，７参照）は本願発明が奏する特長を奏することが出来ない。浮上部６は、本実施形態にあっては、パネル１の他端側（図４中、左端側）が折り曲げられることによって、構成されたものである。パネル１の他端側が、例えば断面略¬形状（主面部２と共に眺めた場合、断面略Ｚ字形状）に折り曲げられることによって、構成されたものである。起立部７と段部３との間の寸法は、既存の屋根パネル２１（２１ｋ）における段差が無い部分の長さにほぼ相当する（図１，２参照）。粒状物４は、浮上部６の表面にも、設けられている（図１，２，３参照）。
【００３９】
２１（２１１，２１２，２１３，２１４，…，２１ｋ，…，２１ｎ）は、既存の屋根を構成するパネルである。このパネルはスレートである。図６，７に示される如きのパネルであっても良い。要するに、既存の屋根（葺き替え前の屋根）が、複数枚のパネル２１１，２１２，２１３，２１４，…，２１ｎによって構成されている。パネル２１ｋ−１とパネル２１ｋ（ｋ＝２〜ｎ−１）とは、一部において、積重している。パネル２１ｋとパネル２１ｋ＋１とは、一部において、積重している。例えば、パネル２１１とパネル２１２とは、一部において、積重している。パネル２１２とパネル２１３とは、一部において、積重している。以下、同様に、パネル同士は、一部において、積重している。パネル同士の積重によって、雨水の侵入が効果的に防止される。
【００４０】
パネル２１（２１１，２１２，２１３，２１４，…，２１ｎの幾つか又は多く）が損傷した場合、図３，４に示された屋根葺用パネル１（１１，１２，１３，１４，…，１ｎ）が用いられ、図１に示される如く、既存の屋根の上に、葺かれる（配設される）。既存の屋根は撤去されない。既存の屋根は階段状に葺かれている。屋根葺用パネル１（１ｋ−１）は、その主面部に形成された段部３が、例えばパネル２１ｋとパネル２１ｋ＋１とで構成される段部２２に対応するように、配置される。段部３と段部２２とが対応するようにパネル１を配置すれば良いから、パネル配設作業は容易である。図１，２から判る通り、段部３の位置において、屋根葺用パネル１（１ｋ−１）の下面がパネル２１（２１ｋ）の上面に接地している。浮上部６の高さはパネル２１（２１ｋ＋２）の厚さを有している（図１，２参照）。従って、屋根葺用パネル１（１ｋ−１）の配置時において、屋根葺用パネル１（１ｋ−１）の浮上部６は、パネル２１（２１ｋ＋2）の上面に、接している（図１，２参照）。屋根葺用パネル１（１ｋ−１）の浮上部６の下面全部が、パネル２１（２１ｋ＋2）の上面に、接していても良い。しかし、クリアランスの問題も有り、現実的には、屋根葺用パネル１（１ｋ−１）の浮上部６の下面とパネル２１（２１ｋ＋2）の上面との間において、隙間は、避けられない。しかし、屋根葺用パネル１（１ｋ−１）は、釘（又はビス等）２３によって、パネル２１（２１ｋ＋2）に固定される。従って、両者は、何所かで、接合している。僅かな面積であるにしても、面接合が確保されている。少なくとも、線接合は確保されている。
【００４１】
屋根葺用パネル１（１ｋ）が、屋根葺用パネル１（１ｋ−１）の上側（屋根の稜線側（棟側））に、葺かれている（配置されている）。図１，２から判る通り、屋根葺用パネル１（１ｋ）の掛止部５が屋根葺用パネル１（１ｋ−１）の浮上部６の基部に掛止している。粒状物４が、掛止部５と浮上部６との間の接触部に、存在している。従って、水が屋根葺用パネル１（１ｋ−１，１ｋ，１ｋ＋１，…）上を流れて来ても、パネル接合面間には適度な隙間が存在するから、毛細管現象によって、パネルとパネルとの間から水が内部に吸い込まれることは起き難い。
【００４２】
屋根葺用パネル１（１１，１２，１３，１４，…）は、既存の屋根を構成しているパネル２１（２１１，２１２，２１３，２１４，…）に対して、隙間２４が存在するように葺かれている（図１，２参照）。しかし。図１と図８との対比から判る通り、隙間２４は大きなものでは無い。屋根葺用パネル１と既存の屋根パネル２１との間の隙間２４には空気層が存在しているから、断熱効果や消音効果が改善された。
【００４３】
２５は軒先カバーである。２６は構造用合板である。２７は、パネル２１留め付けビスである。２８は既存軒先水切りである。
【００４４】
２９は軒先スターターである。３０は、軒先スターター２９の留め付けビスである。軒先スターター２９及び留め付けビス３０は、一番下側位置の屋根葺用パネル１１の下端個所を固定する。これは、適宜、他の手法を採用できる。
【符号の説明】
【００４５】
１，１１，１２，１３                    屋根葺用パネル
２                                      主面部
３                                      段部
４                                      粒状物
５                                      掛止部（断面略」形状部；断面略コ字形状部）
６                                      浮上部（断面略¬形状部；断面略Ｚ字形状部）
７                                      起立部
８                                      頂部
９                                      先端部
２１，２１１，２１２，２１３，２１４    既存屋根のパネル
２４                                    隙間
【図１】
2016023522.tif 000003
【図２】
2016023522.tif 000004
【図３】
2016023522.tif 000005
【図４】
2016023522.tif 000006
【図５】
2016023522.tif 000007
【図６】
2016023522.tif 000008
【図７】
2016023522.tif 000009
【図８】
2016023522.tif 000010